(57)【特許請求の範囲】
【請求項１】
自動車のフロアパネルに敷設された下地用カーペット上に載置され、基布層と、上記基布層に植設された合成樹脂製のパイル糸により形成されるパイル層とを備えた車載用カーペットの製法であって、
上記パイル層を形成する合成樹脂よりも低融点である所定の合成樹脂を加熱させることによって液状化する合成樹脂液状化工程と、
上記合成樹脂液状化工程によって液状化した合成樹脂を、上記パイル層の表面において、運転者の靴の踵が移動しうる範囲に、塗布、若しくは噴霧することによって、上記パイル糸に含浸させる合成樹脂含浸工程と、
上記合成樹脂含浸工程において上記パイル糸に含浸させた上記合成樹脂を乾燥させる乾燥工程とを備えることを特徴とする車載用カーペットの製造方法。
【請求項２】
自動車のフロアパネルに敷設された下地用カーペット上に載置され、基布層と、上記基布層に植設された合成樹脂製のパイル糸により形成されるパイル層とを備えた車載用カーペットの製法であって、
所定の合成樹脂を粒状化、若しくは粉末化し、上記パイル層の表面において、運転者の靴の踵が移動しうる範囲に塗布する合成樹脂塗布工程と、
上記合成樹脂塗布工程によって塗布された合成樹脂粉末を、加熱により溶融させ、上記パイル糸に含浸させる合成樹脂溶融含浸工程と、
上記合成樹脂溶融含浸工程において上記パイル糸に含浸させた上記合成樹脂を乾燥させる乾燥工程とを備えることを特徴とする車載用カーペットの製造方法。
【発明の詳細な説明】
【技術分野】
【０００１】
本発明は、自動車の車室内のフロアパネルに敷設された下地用カーペット上に載置され、基布層と、上記基布層に植設された合成樹脂製のパイル糸により形成されるパイル層とを備えた車載用カーペット、及びその製造方法であって、特に上記パイル層に運転者の靴の踵の支持部が形成された車載用カーペットに関する。
【背景技術】
【０００２】
一般的に、自動車の車室内のフロアパネル上には、所定の吸音部材が配置され、更に、上記吸音部材の上面側には、所謂ラインマットと称される下地用カーペットが敷設されている。
上記下地用カーペットの上面側には、車室内の外観品質の向上を目的として、いわゆるオプションマットと称される車載用カーペットが載置されている。
上記車載用カーペットとしては、基布層上にパイル糸が植設された、いわゆるタフテッドカーペットが広く用いられている。
【０００３】
上記車載用カーペットは、運転席の下方において、下地カーペット上に載置される。
運転時において、アクセルペダルを踏む足の靴の踵は、通常、上記車載用カーペット上に常に当接した状態であり、ブレーキペダルとアクセルペダルの踏み替えを行う場合には、踵を軸に足首を回動させるか、若しくは踵を車載用カーペット上に当接したままスライドさせることによって、踏み込み位置を変更する。
このため、靴の踵の当接位置、及びその周辺は、上記靴の踵との摩擦によってパイル層が早期に磨耗し易く、他の部位が正常であっても、交換の必要が生じるという不具合を有していた。
【０００４】
上記不具合を解決するため、図３に示すように、パイル層７２の表面において、運転者の靴の踵が当接する位置含む所定の範囲に、透明樹脂シート７３を溶着させることにより、運転者の靴の踵の支持部７４を形成した、車載カーペット７０が提案されている（特許文献１）。
図４に示すように、上記特許文献１に係る車載用カーペット７０は、基布層７１と、上記基布層７１の表面側から裏面側に上記基布層７１を貫通して植設され、合成樹脂製のパイル糸７２ａから形成されたパイル層７２と、上記基布層７１の裏面側に配設された裏面層７５を備え、図３に示すように、上記車載カーペット７０は、全体略長方形に形成され、図３中矢印Ｃの方向を、車両（図３には図示せず）の前方側に向け、運転席の下方の下地カーペット（図３には図示せず）上に載置されている。
【０００５】
上記透明樹脂シート７３は、横長長方形に形成された透明な塩化ビニル製シートから形成され、上記車載用カーペット７０の長さ方向中央部の前端部寄りにおいて、運転者の足の靴の踵が当接しうる位置を含むように、外周縁部７３ａ、及び上記車載用カーペット７０の幅方向に沿って所定間隔寸法離間して配置された複数の溶着線７３ｂ、７３ｂ・・において、上記パイル層７２の表面に溶着固定され、運転者の靴の踵の支持部７４を形成している。
【０００６】
従って、上記運転者の靴の踵の支持部７４は、上記透明樹脂シート７３によって運転者の靴の踵との摩擦から保護されることから、車載用カーペット７０の耐久性が向上する。
しかしながら、図４に示すように、運転者の靴の踵の支持部７４の表面においては、パイル層７２が上記透明樹脂シート７３によって押し潰されるため、上記運転者の靴の踵の支持部７４は、上記パイル層７２よりも低い位置に形成され、且つ上記運転者の靴の踵の支持部７４の表面には、上記溶着線７３ｂ、７３ｂによって、細畝上の凹凸が形成されている。
従って、上記透明樹脂シート７３が透明であっても、上記運転者の靴の踵の支持部７４は、上記パイル層７２とは、明確に異なる外観を有し、車載用カーペット７０全体としての色彩の統一感を阻害し、車載用カーペットの外観品質を低下させるという不具合を有していた。
【０００７】
また、上記特許文献１に係る発明にあっては、上記運転者の靴の踵の支持部７４は、透明樹脂シート７３が上記パイル層７２に強く圧接した状態で溶着され、これによりパイル層７２が強く押し潰されていることから、剛性が極めて高く、可撓性をほとんど有していない。
【０００８】
通常の使用状態にあっては、上記車載用カーペット７０は、クリップ（図３、図４には図示せず）等によって、上記下地用カーペット（図３、図４には図示せず）上に固定されている。
従って、通常の使用状態において、上記車載用カーペット７０が下地用カーペット上を滑動することは無い。
しかしながら、何らかの想定外の事態において、下地用カーペットとの固定が外れ、上記下地用カーペット上を、上記車載用カーペット７０が滑動し、その結果、上記運転者の靴の踵の支持部７４がアクセルペダル上に被さってしまう事象が発生する可能性を完全に否定することはできない。
上記のような、想定外の事態においては、アクセルペダルに上記運転者の靴の踵の支持部７４が被さった状態のまま、上記運転者の靴の踵の支持部７４の上から、アクセルペダルを踏み込んだ場合、上記運転者の靴の踵の支持部７４が高い剛性を有していることから、運転席下の前端内壁、若しくは側内壁等に嵌り込んで固定され、アクセルペダルが踏まれた状態から戻る動作を阻害してしまい、車両が危険走行を行う可能性を否定できなかった。
【特許文献１】実開昭６１−１２２１２９号公報
【発明の開示】
【発明が解決しようとする課題】
【０００９】
本発明の課題は、想定外の事態によって、運転者の靴の踵の支持部が、アクセルペダル等に被さった状態でアクセルペダルが踏み込まれた場合であっても、アクセルペダルの戻り操作を阻害することなく、車両の安全走行を確実に確保すると共に、全体の外観に統一性を有し、高い外観品質を備える、車載用カーペット、及びその製造方法を提供することにある。
【課題を解決するための手段】
【００１０】
上記課題を解決するため、請求項１に記載した車載用カーペットの製造方法は、自動車のフロアパネルに敷設された下地用カーペット上に載置され、基布層と、上記基布層に植設された合成樹脂製のパイル糸により形成されるパイル層とを備えた車載用カーペットの製法であって、上記パイル層を形成する合成樹脂よりも低融点である所定の合成樹脂を加熱させることによって液状化する合成樹脂液状化工程と、上記合成樹脂液状化工程によって液状化した合成樹脂を、上記パイル層の表面において、運転者の靴の踵が移動しうる範囲に、塗布、若しくは噴霧することによって、上記パイル糸に含浸させる合成樹脂含浸工程と、上記合成樹脂含浸工程において上記パイル糸に含浸させた上記合成樹脂を乾燥させる乾燥工程とを備えることを特徴とする。
【００１１】
従って、運転者の靴の踵の支持部の形成過程において、溶着工程が存在しないことから、複雑な製造装置は不要である。
上記パイル糸を押圧しないことから、パイル層が押し潰されることが無く、運転者の靴の踵の支持部を、柔軟な可撓性を保持した状態で形成することができる。
【００１２】
また、請求項２に記載した車載用カーペットの製造方法は、自動車のフロアパネルに敷設された下地用カーペット上に載置され、基布層と、上記基布層に植設された合成樹脂製のパイル糸により形成されるパイル層とを備えた車載用カーペットの製法であって、所定の合成樹脂を粒状化、若しくは粉末化し、上記パイル層の表面において、運転者の靴の踵が移動しうる範囲に塗布する合成樹脂塗布工程と、上記合成樹脂塗布工程によって塗布された合成樹脂粉末を、加熱により溶融させ、上記パイル糸に含浸させる合成樹脂溶融含浸工程と、上記合成樹脂溶融含浸工程において上記パイル糸に含浸させた上記合成樹脂を乾燥させる乾燥工程とを備えることを特徴とする。
【００１３】
従って、含浸させる合成樹脂を予め加熱溶融等によって液状化しておく必要がない。
【発明の効果】
【００１４】
請求項１の発明にあっては、自動車のフロアパネルに敷設された下地用カーペット上に載置され、基布層と、上記基布層に植設された合成樹脂製のパイル糸により形成されるパイル層とを備えた車載用カーペットの製法であって、上記パイル層を形成する合成樹脂よりも低融点である所定の合成樹脂を加熱させることによって液状化する合成樹脂液状化工程と、上記合成樹脂液状化工程によって液状化した合成樹脂を、上記パイル層の表面において、運転者の靴の踵が当接する位置を含む所定の範囲に、塗布、若しくは噴霧することによって、上記パイル糸に含浸させる合成樹脂含浸工程と、上記合成樹脂含浸工程において上記パイル糸に含浸させた上記合成樹脂を乾燥させる乾燥工程とを備えていることから、運転者の靴の踵の支持部の形成過程において、溶着工程が存在しない。
従って、複雑な機械装置は不要であり、製造設備に大きな変更を加える必要が無いため、より製造コストが低い車載用カーペットの製造方法を提供することができる。
また、上記パイル糸に含浸される合成樹脂は、上記パイル層を形成する合成樹脂よりも低融点であることから、合成樹脂を加熱溶融させて上記パイル糸に含浸させた場合であっても、上記パイル糸が溶融することが無い。
【００１５】
また、請求項２の発明にあっては、自動車のフロアパネルに敷設された下地用カーペット上に載置され、基布層と、上記基布層に植設された合成樹脂製のパイル糸により形成されるパイル層とを備えた車載用カーペットの製法であって、所定の合成樹脂を粒状化、若しくは粉末化し、上記パイル層の表面において、運転者の靴の踵が移動しうる範囲に塗布する合成樹脂塗布工程と、上記合成樹脂塗布工程によって塗布された合成樹脂粉末を、加熱により溶融させ、上記パイル糸に含浸させる合成樹脂溶融含浸工程と、上記合成樹脂溶融含浸工程において上記パイル糸に含浸させた上記合成樹脂を乾燥させる乾燥工程とを備えることから、含浸させる合成樹脂を予め液状化しておく必要が無い。
従って、製造工数が更に短縮され、製造コストを低減することが可能な、車載用カーペットの製造方法を提供することができる。
【００１６】
また、請求項１及び２に記載の発明によって製造された車載用カーペットにあっては、合成樹脂がパイル糸に直接含浸されることから、パイル層が押圧されて変形することは無い。
従って、上記運転者の靴の踵の支持部は、それ以外のパイル層と同等の柔軟な可撓性が保持され、何らかの想定外の事態が発生することによって、運転者の靴の踵の支持部がアクセルペダル等に被さり、そのままアクセルペダルを踏み込んだ場合であっても、上記運転者の靴の踵の支持部が、柔軟な可撓性を有することから、運転席下方の、車両前端内壁、若しくは側内壁等に嵌り込む可能性が無い。
従って、アクセルペダルの戻り操作を阻害することないため、車両が危険走行を行う可能性がなく、極めて安全性が向上する。
加えて、パイル層の形状、及び色彩が大きく変化しないため、上記運転者の靴の踵が移動しうる範囲とそれ以外のパイル層との間で外観上の統一性が保持され、高い外観品質を備えた車載用カーペットを提供することができる。
【図面の簡単な説明】
【００１７】
【図１】本発明に係る車載用カーペットの一実施の形態を示し、実施例の形態における車載用カーペットの平面図である。
【図２】本発明に係る車載用カーペットの一実施の形態を示し、図１におけるＢ−Ｂ線の拡大断面図である。
【図３】従来の車載用カーペットの形態を示す平面図である。
【図４】図３のＤ−Ｄ線の拡大断面図である。
【図５】本実施例に係る車載用カーペットの製造工程を示すフローチャートである。
【発明を実施するための最良の形態】
【００１８】
以下、本発明の実施の形態を、パイル糸に含浸させる合成樹脂としてアクリル樹脂を選択した場合を例に、添付図面を用いて説明する。  
図２に示すように、本実施の形態に係る車載用カーペット１０は、基布層１１と、上記基布層１１に植設された合成樹脂製のパイル糸１２ａにより形成されるパイル層１２とを備え、上記パイル層１２には、上記パイル糸１２ａにアクリル樹脂１５が含浸されることにより、可撓性を有する運転者の靴の踵の支持部１４が形成されている。
【実施例】
【００１９】
上記形態の本実施例の構成について、添付図面を用いて詳述する。
【００２０】
（１）車載用カーペット
図１は、本実施例に係る車載用カーペット１０の平面図である。
図１に示すように、本実施例に係る上記車載用カーペット１０は全体略縦長長方形に形成され、図中矢印Ａの方向を車両前方に向け、車室内において運転席下方の下地用カーペット（図１には図示せず）上に載置されている。
【００２１】
また、図２は、図１のＢ−Ｂ線拡大断面図を示している。
図２に示すように、上記基布層１１は柔軟な不織布から形成されると共に、上記基布層１１の裏面側１１ｂには、可撓性を有するラバー材を等から形成された裏面層１３が接着剤等を介して貼設固定されている。
また、パイル層１２のパイル糸１２ａは、ポリプロピレンから形成され、上記基布層１１の表面側１１ａから裏面側１１ｂに、上記基布層１１を貫通して植設されている。
【００２２】
また、図１に示すように、上記運転者の靴の踵の支持部１４は、上記パイル層１２において、運転操作中に運転者の右足の靴の踵が移動する範囲に形成され、本実施例においては、上記車載用カーペット１０の長さ方向中央部からやや前端部寄り、且つ幅方向中央部のやや右寄り位置において所定の長さ寸法、及び幅寸法の長方形状に形成されている。
【００２３】
本実施例の作用について添付図面を用いて説明する。
図２に示すように、上記運転者の靴の踵の支持部１４においては、アクリル樹脂１５は、パイル層１２のパイル糸１２ａの繊維内に含浸され、その後、乾燥させることによって、上記パイル糸１２ａが、上記アクリル樹脂１５によって被覆された状態となる。
従って、上記アクリル樹脂１５によって、上記パイル層１２が保護され、靴の踵との摩擦に対する耐久性が向上する。
一方、図２に示すように、本実施例に係る車載用カーペット１０は、運転者の靴の踵の支持部１４において、パイル糸１２ａが押し潰されていないことから、上記運転者の靴の踵の支持部１４においても、上記パイル層１２の柔軟な可撓性が保持される。
【００２４】
従って、何らかの想定外の事態の発生によって、上記車載用カーペット１０が下地用カーペット上を滑動し、上記運転者の靴の踵の支持部１４がアクセルペダルに被さった状態となり、その状態でアクセルペダルを踏み込んだ場合であっても、上記運転者の靴の踵の支持部１４が、柔軟な可撓性を保持していることから、車室の前端内壁若しくは側内壁等に嵌り込んで固定されてしまう虞がない。
このため、アクセルペダルが元の位置に戻る付勢力によって、上記運転者の靴の踵の支持部１４が上方に持ち上げられ、アクセルペダルは、速やかに元の位置に復帰することから、車両が危険走行をする虞がなく、走行時の安全性が向上する。
【００２５】
また、上記アクリル樹脂１５は無色透明であり、且つパイル糸１２ａに直接含浸させることから、上記運転者の靴の踵の支持部１４において、パイル層１２の形状及び色彩に大きな変化が発生しない。
従って、上記運転者の靴の踵の支持部１４とそれ以外のパイル層１２との間で、外観上の差が発生せず、車載用カーペット１０の全体として、外観が統一され、高い外観品質を確保することができる。
【００２６】
（２）車載用カーペットの製造方法
上記実施例に記載した車載用カーペットの製造方法４０について、添付図面を用いて説明する。
図５は、本実施例に係る車載用カーペットの製造方法４０の、製造工程を示すフローチャートである。
図５に示すように、パイル糸１２ａに含浸させるアクリル樹脂１５（図５には図示せず）は、加熱溶融させることによって液状化される（合成樹脂液状化工程４１）。
この場合、図２に示すように、溶融した合成樹脂１５を、上記パイル糸１２ａに含浸させる際に、上記パイル糸１２ａを溶融させないため、含浸する合成樹脂１５は、パイル糸１２ａを形成する合成樹脂よりも低融点の素材を選択している。
【００２７】
上記合成樹脂液状化工程４１によって液状化されたアクリル樹脂１５は、上記パイル層１２（図５には図示せず）の表面において、運転者の靴の踵の支持部１４を形成する所定範囲に亘って塗布若しくは噴霧され、上記アクリル樹脂１５が、パイル糸１２ａの繊維内に含浸する（合成樹脂含浸工程４２）。
更に、上記合成樹脂含浸工程４２で上記パイル糸１２ａに含浸されたアクリル樹脂を乾燥させる（乾燥工程４３）。その結果、運転者の靴の踵の支持部１４を形成することができる。
【００２８】
また、図２に示すように、上記パイル糸１２ａよりも、低融点の合成樹脂１５を用いる場合には、図５に示すように、パイル糸１２ａに含浸させる合成樹脂１５を、予め粒状化、若しくは粉末化して、上記パイル層１２の表面において、運転者の靴の踵の支持部１４を形成する所定範囲に塗布し（合成樹脂塗布工程４４）、上記合成樹脂塗布工程４４によって、塗布された合成樹脂１５を、ヒーター等（図示せず）によって加熱溶融させて、上記パイル糸１２ａに含浸させ（合成樹脂溶融含浸工程４５）、上記合成樹脂溶融含浸工程４５で、含浸させた合成樹脂１５を乾燥させることによって（乾燥工程４３）、運転者の靴の踵の支持部１４を形成することもできる。
【００２９】
また、ポリプロピレンのように、１６０℃前後の高い融点を有するホモポリマー（所謂高融点ポリプロピレン）と、比較的低い融点を有するコポリマー（共重合体、所謂低融点ポリプロピレン）のように、複数種類の素材がある場合には、同一系統の素材を、パイル層と、上記パイル層に含浸させる合成樹脂に、夫々適用することも可能である。
【００３０】
本実施例に係る製造方法によれば、図２に示すように、アクリル樹脂１５は、均一にパイル糸１２ａに含浸され、上記パイル糸１２ａの表面を均一に被覆することから、パイル層１２は、柔軟な可撓性を保持しつつ、運転者の靴の踵の支持部１４におけるパイル層１２の耐久性のみを選択的に向上させることができる。
また、溶着工程等の複雑な工程が不要であるため、既存設備の変更が軽微であり、その結果、製造コストを低減することが可能となる。
【００３１】
なお、運転者の靴の踵の支持部の大きさ寸法については、車室内形状、アクセルペダル及びブレーキペダルの設置位置、車載用カーペットの全体形状、及び運転者の体格等に応じて、最適な大きさに適宜調整することができる。
【００３２】
また、基布層の裏面側に配設された裏面層は、必須構成ではなく、下地用カーペットに対して、所定の滑り止め効果を確保することが可能であれば、省略することも可能である。
【産業上の利用可能性】
【００３３】
本発明は、自動車の車室内のフロアパネルに敷設された下地用カーペット上に載置される車載用カーペット及びその製造方法に適用することが可能である。
【符号の説明】
【００３４】
１０  車載用カーペット
１１  基布層
１１ａ基布層の表面側
１１ｂ基布層の裏面側
１２  パイル層
１２ａパイル糸
１３  裏面層
１４  運転者の靴の踵の支持部
１５  合成樹脂（アクリル樹脂）
４０  車載カーペットの製造方法
４１  合成樹脂液状化工程
４２  合成樹脂含浸工程
４３  乾燥工程
４４  合成樹脂塗布工程
４５  合成樹脂溶融含浸工程
７０  車載用カーペット
７１  基布層
７２  パイル層
７２ａパイル糸
７３  透明樹脂シート
７３ａ透明樹脂シートの外周縁部
７３ｂ溶着線
７４  運転者の靴の踵の支持部
７５  裏面層
【図１】
0005864855.tif 000002
【図２】
0005864855.tif 000003
【図３】
0005864855.tif 000004
【図４】
0005864855.tif 000005
【図５】
0005864855.tif 000006